(57)【特許請求の範囲】
【請求項１】
少なくとも一面に内部に向かって狭くなるテーパー状の端面を設けたスピーカユニット取付け孔を有するスピーカユニットと、少なくとも上記スピーカユニット取付け孔のテーパー状端面に対応した逆テーパーの外周背面を有するフレームからなるスピーカユニットと、上記スピーカユニット取付け孔に上記スピーカユニットをはめ込み上記スピーカユニットのフレームの外周と上記スピーカユニット取付け孔の突き合わせ部分の外面に形成される溝部に充填される接着用樹脂とで構成されるスピーカ装置。
【発明の詳細な説明】
【０００１】
【発明の属する技術分野】
本発明は各種情報・音響機器に使用されるスピーカ装置に関するものであり、特に近年著しく市場が拡大しているノート型のパーソナルコンピュータに主として使用されるスピーカ装置に関するものである。
【０００２】
【従来の技術】
従来の技術を図３および図４により説明する。
【０００３】
図３はノート型のパーソナルコンピュータへのスピーカ装置の搭載状態を説明するための斜視図であり、図４は同スピーカ装置の側断面図である。
【０００４】
同図によると、１はノート型パーソナルコンピュータ本体であり、２はその空洞部３に装着されるスピーカ装置である。なお、スピーカ装置２は図示しない接続手続によってノート型パーソナルコンピュータ本体１の音声信号の送出部と接続されている。
【０００５】
上記スピーカ装置は、スピーカボックス５を構成するキャビネット５ａとスピーカユニット６を装着するバッフル板５ｂとで構成されるとともに、上記スピーカユニット６は図示しない接続手段を有し、そのフレーム７をビス８でネジ止めすることにより、バッフル板５ｂのスピーカユニット取付け孔５ｃに臨む位置に装着されている。
【０００６】
【発明が解決しようとする課題】
以上のスピーカ装置２では、スピーカボックス５のバッフル板５ｂの材厚が厚く、且つ、スピーカユニット６の前面とバッフル板５ｂの前面が同一面にないので、バッフル板５ｂの厚み分の空間がスピーカユニット６の前部分にできてホーンを形成し、スピーカユニット６の振動板（図示せず）から発生した音波がスピーカユニット取付け孔５ｃの内周側面に当たり、位相ずれや音圧レベルの低下の原因となっていた。また、更には空洞共振を発生させて音圧周波数特性上ディップが生じるという課題も有していた。
【０００７】
また、ノート型パーソナルコンピュータを筆頭に機器の薄型化が進んでおり、スピーカ装置も小型・軽量・薄型化が更に求められ、且つスピーカ装置の最低共振周波数の低音化も求められているものであった。
【０００８】
本発明は上記課題を解決して優れたスピーカ装置を提供しようとするものである。
【０００９】
【課題を解決するための手段】
上記課題を解決するために本発明のスピーカ装置は、少なくとも一面に内部に向かって狭くなるテーパー状の端面を設けたスピーカユニット取付け孔を有するスピーカボックスと、少なくとも上記スピーカユニット取付け孔のテーパー状端面に対応した逆テーパーの外周背面を有するフレームからなるスピーカユニットと、上記スピーカユニット取付け孔に上記スピーカユニットをはめ込み上記スピーカユニットのフレーム外周と上記スピーカユニット取付け孔の突き合わせ部分の外面に形成される溝部に充填される接着用樹脂とで構成して、スピーカユニットの前面のバッフル板の厚みによるホーンの形成を抑制してディップの少ない音圧周波数特性とするとともに、スピーカ装置の容積の有効利用を図り、最低共振周波数の低音化も図れる優れたスピーカ装置の提供を可能とするものである。
【００１０】
【発明の実施の形態】
本発明の請求項１に記載の発明は、少なくとも一面に内部に向かって狭くなるテーパー状の端面を設けたスピーカユニット取付け孔を有するスピーカボックスと、少なくとも上記スピーカユニット取付け孔のテーパー状端面に対応した逆テーパーの外周背面を有するフレームからなるスピーカユニットと、上記スピーカユニット取付け孔に上記スピーカユニットをはめ込み上記スピーカユニットのフレーム外周と上記スピーカユニツト取付け孔の突き合わせ部分の外面に形成される溝部に充填される接着性の樹脂とで構成して、スピーカユニットの前面にバッフル板の厚みによるホーンの形成を抑制するとともに、スピーカ装置の容積の有効利用を図り、最低共振周波数の低音化も図れるものである。
【００１１】
以下、本発明のスピーカ装置の一実施の形態について図１、図２により説明する。
【００１２】
なお、説明にあたっては従来技術と同一部分には同一番号を付与して説明する。図１は本発明の一実施の形態のスピーカ装置の側断面図であり、図２は同要部であるスピーカユニットとバッフル板の突き合わせ部分の拡大図である。
【００１３】
同図によると５ｃはキャビネット５ａとバッフル板５ｄからなるスピーカボックスであり、バッフル板５ｄにはスピーカユニット取付け孔５ｅが設けられるとともに、このスピーカユニット取付け孔５ｅの内周面は内部に向かって狭くなるようにテーパー５ｆが設けられるとともに、スピーカユニット６ａのフレーム７ａの外周背面には上記テーパー５ｆに対応した逆テーパー７ｂが設けられている。
【００１４】
なお、スピーカユニット取付け孔５ｅにスピーカユニット６ａを外方から組み合わせた時、上記スピーカユニット取付け孔５ｅのテーパー５ｆとスピーカユニット６ａのフレーム７ａの外周背面の逆テーパー７ｂの突き合わせ部分の外側部分はスピーカユニット取付け孔５ｅとスピーカユニット６ａのフレーム７ａで形成される溝８内の底面に位置するように形成されている。
【００１５】
９は接着用樹脂であり、溝８内に充填してスピーカユニット６ａをバッフル板５ｄのスピーカユニット取付け孔５ｅに固着するものである。
【００１６】
なお、図示しないがスピーカユニット６ａには外部の音源となる電気信号の送出部と接続するための接続部が設けられている。
【００１７】
以上のようにスピーカ装置は構成されているので、スピーカユニット６ａのフレーム７ａはバッフル板５ｄにはめ込まれているので、従来技術と異なりバッフル板５ｄのスピーカユニット取付け孔５ｅの内周面が略面一となってホーンとなることが抑制されて良好な音圧周波数特性が得られるとともに、更にスピーカボックス５ｃの容積も有効に利用できるので、同一容積の従来のスピーカボックスに比べてより低域の再生が可能となるものである。
【００１８】
また、スピーカユニット６ａは外方からスピーカユニット取付け孔５ｅに挿入するだけで位置決めでき、更に溝８に接着用樹脂を充填するのみで、必要個所以外へ接着用樹脂を付着させることなくスピーカユニット６ａの装着が極めて容易に行えるものである。
【００１９】
【発明の効果】
以上のように本発明のスピーカ装置は、スピーカユニットの前面のバッフル板の厚みによるホーンの形成を抑制してディップの少ない音圧周波数特性とするとともに、スピーカ装置の容積の有効利用を図り、最低共振周波数の低音化も図れる優れたスピーカ装置の提供を可能とするものである。
【図面の簡単な説明】
【図１】本発明のスピーカ装置の一実施の形態の側断面図
【図２】同要部であるスピーカユニットとバッフル板の突き合わせ部分の拡大図
【図３】従来のスピーカ装置のノート型のパーソナルコンピュータへの搭載状態を説明するための斜視図
【図４】同スピーカ装置の側断面図
【符号の説明】
５ａ  キャビネット
５ｃ  スピーカボックス
５ｄ  バッフル板
５ｅ  スピーカユニット取付け孔
５ｆ  テーパー
６ａ  スピーカユニット
７ａ  フレーム
７ｂ  逆テーパー
８  溝
９  接着用樹脂
【図１】
0003959880.tif 000002
【図２】
0003959880.tif 000003
【図３】
0003959880.tif 000004
【図４】
0003959880.tif 000005